(57)【要約】      （修正有）【課題】金属フレームの背面に設けた裏板に取付ねじをねじ着してドアに固定する２管丁番において、建付けが悪くなったときに、既存の丁番と取り替えてドアに取り付けることにより建付けを調整できるようにしたメンテナンス用調整丁番を提供する。【解決手段】メンテナンス用調整丁番は、羽根板１の平面部に、底部が周囲よりも凹陥した収納部１５を設ける。この収納部には不動状態で偏心プレート２１が嵌着される。この偏心プレートには、裏板７のねじ孔と同じ孔ピッチの取付孔２２があり、この取付孔の中心位置は、偏心プレート自体の中心位置から横方向に偏心している。偏心プレートは反転可能であり、収納部に嵌着する位置を反転させることにより、偏心状態を変えることができる。【選択図】図２
0003233439.tif 000002
【実用新案登録請求の範囲】
【請求項１】
平面部の一端に管部有する一対の羽根板を回転軸で連結し、羽根板に設けた取付孔に取付ねじを通して金属フレームの背面側に設けた裏板のねじ孔にねじ着して固定するようにした２管丁番であって、上記羽根板の平面部には、底部が周囲よりも凹陥した収納部が有り、該収納部には不動状態に収納される偏心プレートが嵌着され、該偏心プレートには偏心プレート自体の中心位置より横方向に偏心しかつ孔ピッチが上記裏板のねじ孔の孔ピッチと一致した複数の取付孔が形成され、上記収納部には偏心プレートの取付孔に対応する位置に横長の挿通孔が設けられていることを特徴とするメンテナンス用調整丁番。
【請求項２】
上記偏心プレートは、偏心方向を変えて収納部に嵌着できるよう反転可能に形成されている請求項１に記載のメンテナンス用調整丁番。
【請求項３】
上記偏心プレートの厚さは、収納部の深さと同じであり、取付孔は皿孔に形成されている請求項１に記載のメンテナンス用調整丁番。
【請求項４】
偏心量が相違する複数の偏心プレートを具備し、該偏心プレートを選択して上記収納部に嵌着するようにした請求項１に記載のメンテナンス用調整丁番。
【考案の詳細な説明】
【技術分野】
【０００１】
本考案は、建物のリフォームやドアの修理の際に、交換用の丁番として好適に使用されるメンテナンス用調整丁番に関するものである。
【背景技術】
【０００２】
ドアをドア枠に吊り込むための建物用丁番として旧住宅公団では、いわゆるＫＪ丁番が従来より使われており、公団住宅以外のマンションその他の集合住宅でも広く使われている。このＫＪ丁番は、２管丁番（旗丁番）であって、図８に示すように、ドアとドア枠にそれぞれ固定される２枚の羽根板１と、羽根板の端部に設けられ回転軸２が連通される管部３を有し、管部の端面間には丁番リング４が挟着されている。上記ＫＪ丁番により正しくドア枠に吊り込まれたドアであっても、永年の使用によりドア枠が変形し、ドアとドア枠の隙間が少なくなってドアの開閉に抵抗を生じたり、異音が発生したり、スムーズに開閉できなくなったりするものがあり、メンテナンスが必要な時期にきている。このような状態になったドアを補修するには、丁番の取付位置を変えたり、新しい丁番に交換してドアとドア枠の建付けを調整すればよいが、種々の問題点がある。
【０００３】
一般的に、公団住宅やマンション等のドア枠やドアは、金属フレームで構成されているから、丁番の羽根板をドア枠やドアに固定するには、木ねじではなく、小ねじが使用されている。そして、丁番の羽根板に形成した複数の取付孔５と同じ孔ピッチを有する複数のねじ孔６を平板状の裏板（ねじ持ち）７(図９参照)に形成し、取付用ねじ孔８でこの裏板７をドア枠やドアの金属フレームの背面側に固定し、金属フレームの表面側に羽根板１を当ててその取付孔５に取付ねじを差し込み、取付ねじの先端を金属フレームの背面側に設けた上記裏板７の上記ねじ孔６にねじ着して丁番を固定している。ドアが閉鎖されたとき、ドア枠側とドア側の羽根板の間隙は、約０〜１ｍｍとなるため、取付ねじの頭部の形状がナベやトラスのように外方に突出するねじは使用することができず、通常は皿ねじのように、頭部が羽根板の表面から突出しない小ねじが使用され、取付孔も皿孔に形成されている。
【０００４】
ドア枠が変形して建付けが悪くなったとき、高さを調整するには、厚さの相違する丁番リング４に差し替えればよく、横方向（幅方向）の建付けを調整する場合は、木ねじで固定した丁番では木ねじの固定位置を変更して丁番の取付位置を横方向に調整することができる。しかし、小ねじと裏板を使用するＫＪ丁番では、取付ねじの固定位置を変えることはできないので、そのような調整方法は採用できない。羽根板を加工して取付孔の位置を変更することも考えられるが、そのような加工を現場で行うことはできないし、変形の程度に応じた複数の丁番を予め準備しておくのも実際的ではない。
【０００５】
既存の丁番を改良する方法として、羽根板の固定位置を移動できるように取付孔を横長の長孔に加工することも考えられる。ドアの重量が軽い、例えば、家具等の場合には、取付孔の形状を予め横長の長孔に形成しておけば、ドア枠とドアの位置がドアの横方向にズレた場合に、取付ねじを緩めて羽根板とドアの固定位置を変更することができる。しかし、公団住宅のＫＪ丁番のような建物用の丁番の場合、ドアの重量が約５０kg〜７０kgもあるので、家具のように簡単にはできない。上述したように、ＫＪ丁番では、取付ねじとして皿ねじを使用し、取付孔も皿孔に形成する必要があるが、取付孔を横長の皿孔に加工して皿ねじでドアに固定した場合には、固定方法が不安定であるので、ドアの重みと経年変化により羽根板若しくはドアが移動しやすく、取付位置が簡単にズレてしまう。そのため建物用ドアに使用する丁番は、取付孔として横長の長孔を採用することができない。
【０００６】
建物に使用するドアの取付位置を、ドア枠に対し、上下、左右、前後に調整する三次元方向や二次元方向に調整機能を持たせた各種の丁番は、知られている（例えば特許文献１参照）。特許文献１に記載の丁番は、ドアの横方向（幅方向）に調整できる丁番であって、羽根板を、調整板と、ドアの表面側に接する裏板（ドアを構成する金属フレームの背面側に固定するねじ持ちに相当するものではない）と、表板の３部材で構成し、調整板を表板と裏板の間に差し込み、取付ねじを表板の取付孔から裏板の取付孔を貫通してドアの表側にねじ止めしている。調整板は、表板側から調整カムを回転させて調整板の位置を微調整し、その後、固定ねじで裏板に固定される。このように、従来の調整機能付き丁番は、新規にドアをドア枠に取り付けるときの調整を前提としている。ドア枠及びドアのすべてを全面改修する場合にはそのような調整機能付き丁番を用いることもできるが、ドアやドア枠を交換しないでそのまま使用する場合には、上記取付孔の孔ピッチと金属フレームの背面側に固定された裏板（ねじ持ち）のねじ孔の孔ピッチが相違するので、そのような丁番を利用することができない。
【０００７】
上記のように、従来の調整機能付き丁番は、金属フレームの背面側に固定した既存の裏板（ねじ持ち）との関連を全く考慮していない。したがって、この丁番を使用するためには、裏板を交換できるような場合には従来の裏板を外して新たな裏板に交換することが必要であるが、実際にはドア枠の背面側にはコンクリート等が入り込んだりしていて、交換できない場合が多い。さらに、羽根板を調整板、表板、及び裏板の３枚で構成した特許文献１に記載の丁番では、羽根板の厚さが、通常の２管丁番の羽根板の厚さに比べて約３倍になる。そのため、このように肉厚のある羽根板を、既存の丁番と交換してドアに組み込むためにはドアとドア枠の間隙が既存の丁番と同じになるよう、ドア枠やドアを切り欠いて取付溝を形成する必要があり、しかも、このような作業を現場で行なわなければならないから、非常に面倒である。
【先行技術文献】
【特許文献】
【０００８】
【特許文献１】特許第３６６９９５５号公報（特許請求の範囲、段落００２６、００２９  図１〜図４）
【考案の概要】
【考案が解決しようとする課題】
【０００９】
本考案は、ＫＪ丁番のように、裏板（ねじ持ち）を金属製のフレームの背面側に固定してドアをドア枠に開閉自在に吊り込む形式の２管丁番において、永年の使用により建付けが悪くなったとき、従前の丁番に取り換えて開閉に支承を生じない位置にドアを取り付けできるようにしたメンテナンス用調整丁番を提供することである。
【課題を解決するための手段】
【００１０】
上述のように、横方向の位置を調整するために取付孔を横長の長孔に形成した場合の問題点と、ドアを閉鎖しているときの羽根板間の間隙が少ない点を解決するため、本考案では、下記するように、羽根板の厚さを変えずに該羽根板と偏心プレートを組み合わせることにより上記問題点を解決した。
【００１１】
本考案によれば、管部を一端に有する一対の羽根板を回転軸で連結し、羽根板に設けた取付孔に取付ねじを通して金属フレームの背面側に設けた裏板のねじ孔にねじ着して固定するようにした２管丁番であって、上記羽根板の平面部には、底部が周囲よりも凹陥した収納部が有り、該収納部には不動状態に収納される偏心プレートが嵌着され、該偏心プレートには偏心プレート自体の中心位置より横方向に偏心しかつ孔ピッチが上記裏板のねじ孔の孔ピッチと一致した複数の取付孔が形成され、上記収納部には偏心プレートの取付孔に対応する位置に横長の挿通孔が設けられていることを特徴とするメンテナンス用調整丁番が提供される。
【００１２】
また、本考案によれば、偏心プレートは、偏心方向を変えて収納部に嵌着できるよう反転可能に形成され、その厚さは収納部の深さと同じであり、取付孔は皿孔に形成され、好ましくは偏心量が相違する複数の偏心プレートを具備し、該偏心プレートを選択して上記収納部に嵌着するようにした上記メンテナンス用  調整丁番が提供される。
【考案の効果】
【００１３】
本考案のメンテナンス用調整丁番は、羽根板の平面部に、底部が周囲よりも凹陥した収納部を形成し、この収納部に偏心プレートを不動状態に嵌着する構成であるので、羽根板全体としては既存の丁番の羽根板と同じ厚さに形成することができ、かつ該偏心プレートには偏心プレート自体の中心位置より横方向に偏心し孔ピッチが裏板のねじ孔の孔ピッチと一致した複数の取付孔が形成されているから、取付ねじを取付孔に差し込み、挿通孔を通して裏板のねじ孔にねじ着すれば、羽根板の厚さを変えずに、羽根板を横方向に調整した位置に固定して建付けを調整できる。このように、既存の丁番に取り換えても何ら支障を生じることがないし、ドアに切り欠きや取付溝を設ける必要もない。そして、上記偏心プレートを反転可能に収納部に嵌着できるようにすると、該偏心プレートを左右反転させて嵌着することにより偏心状態を変えることができ、一つの偏心プレートで二つの建付け状態の調整に対応することができる。さらに、偏心量の違う複数の偏心プレートを用意しておき、選択的に使用すれば、さらに多くの建付け調整に対応することができる。
【図面の簡単な説明】
【００１４】
【図１】本考案の一実施例を示す断面図。
【図２】ドアを開き、一部を切り欠いた状態の分解斜視図。
【図３】羽根板を示し、(Ａ)は正面図、(Ｂ)はＡ図のＢ−Ｂ線断面図。
【図４】偏心プレートの一実施例を示す正面図。
【図５】偏心プレートの他の実施例を示す正面図。
【図６】図４に示す偏心プレートを収納部に収納した状態を示し、(Ａ)は取付孔が羽根板の側縁部に近づいた状態、(Ｂ)は左右反転して羽根板の側縁部から離れた状態の各説明図。
【図７】図５に示す偏心プレートを収納部に収納した状態を示し、(Ａ)は取付孔が羽根板の側縁部に近づいた状態、(Ｂ)は左右反転して羽根板の側縁部から離れた状態の各説明図。
【図８】従来の２管丁番の一実施例を示す正面図。
【図９】従来の裏板の一実施例を示す正面図。
【考案を実施するための形態】
【００１５】
図１、図２は本考案の一実施例を示し、図８、図９に示す従来の丁番とほぼ同様の部分を同じ符号を用いて説明すると、公知のように、ドア枠１０とドア１１は、金属フレームで構成され、図８に示す既存の丁番と同じように、管部３を有する一対の羽根板１と、管部３に挿入された回転軸２を有し、管部３の端面間には、丁番リング４が挟着されている。また、丁番を取付ねじ１２で固定する部分の金属フレーム１３の背面側には、裏板（ねじ持ち）７が固定され、該裏板７には図９に一実施例として示すように、丁番を固定するための複数のねじ孔６と、裏板７を金属フレーム１３に取り付けるための取付用ねじ孔８が所定の孔ピッチで形成されている。
【００１６】
本考案の羽根板の少なくとも一つの羽根板、図３に示す実施例では、ドア１１側の羽根板１の平面部には底部１４が周囲よりも凹陥した収納部１５が形成されている。通常、ＫＪ丁番では、羽根板の厚さが、３ｍｍ若しくは４ｍｍであるので、上記収納部１５の深さを、約１．５ｍｍに形成してある。この収納部１５は、長辺１６と短辺１７を有する略長方形状に形成され、外方の長辺１６と羽根板１の端縁１８の間には、側縁部１９が設けられている。該収納部１５の底部１４には、既存の裏板７のねじ孔６とほぼ同じ孔ピッチで、横長に形成された挿通孔２０が形成されている。
【００１７】
上記収納部１５には、不動状態に偏心プレート２１が嵌着される。該偏心プレート２１は、上記収納部１５の平面部から外面が突出しないよう収納部１５の深さと同じ厚さ、図３に示す実施例では、約１．５ｍｍに形成してあり、全体の形状は略長方形状に形成され、裏板７のねじ孔６と同じ孔ピッチの複数の取付孔２２が形成されている。したがって、上記収納部１５の底部１４に設けた挿通孔２０は、この偏心プレート２１の取付孔２２の位置に対応し、横方向に延びている。
【００１８】
上記偏心プレート２１の取付孔２２の中心位置２３は、裏板７のねじ孔６の孔ピッチと一致しているが、偏心プレート自体の中心位置からは横方向に偏心している。具体的には、図４に示すように、例えば幅Ｂの偏心プレート２１に５か所の取付孔２２が設けられている場合、既存のものの中心位置２４が偏芯プレート２１の側縁２５から距離Ｂ/２の位置にあるとすると、本考案では、取付孔の中心位置２３が距離Ａだけ横方向に偏心している。この際、偏心プレート２１を左右に反転しても上下縁からの位置が既存の取付孔の位置と変わらないよう上方、下方の取付孔２２は偏心プレート２１の上縁２６、下縁２７から等距離に設けられている。このような偏心プレート２１としては、好ましくは偏心量が相違する複数の偏心プレートを具備することができる。例えば、図５に示す偏心プレート２８は、偏心量が距離Ｃだけ横方向に偏心している。本考案では、偏心量として２ｍｍ偏心した偏心プレート２１(図４)と、３ｍｍ偏心した偏心プレート２８(図５)を用意している。これらの取付孔２２の開口部は皿もみ加工により皿孔に形成され、皿ねじである取付ねじの頭部が羽根板の平面から突出しないようにしてある。
【００１９】
上記のように構成された偏心プレートを収納部１５に嵌着すると、偏心プレートの側縁２５、上縁２６、下縁２７は、収納部１５の長辺１６、短辺１７に当たるので、上下、左右方向に移動することはない。そして、収納部１５に偏心プレート２１を嵌着する際の方向により丁番を固定するための取付孔２２の位置が変化する。図４に示すように、偏心量として１ｍｍに形成した偏心プレート２１の場合、図６(Ａ)に示すように、取付孔２２の中心位置が側縁部１９側に寄るように嵌着した状態では、取付孔２２の中心位置は、既存の丁番と同じ位置であるが、同図(Ｂ)に示すように、左右を反転して取付孔２２の中心位置が図６の左方に寄るように嵌着すると、取付孔２２の中心位置は＋２ｍｍ左方に寄るから、この状態で取付ねじ１２を取付孔２２及び挿通孔２０を通して裏板７のねじ孔６にねじ着すれは、既存の丁番に対して＋２ｍｍ丁番を左方に移動した状態でドアに固定することができる。このとき、羽根板と偏心プレートは上下、左右方向に移動することはないので、ドアの重みで羽根板がズレるようなおそれはない。
【００２０】
また、偏心量を３ｍｍに形成した図５に示す偏心プレート２８の場合には、図７(Ａ)に示すように、取付孔２２の中心位置が羽根板１の側縁部１９側に寄った状態に偏心プレート２８を嵌着すると、既存の丁番に対して−１ｍｍ右方向に取付孔２２が移動したことになる。左右反転して取付孔２２の中心位置を側縁部１９から離れる方向に嵌着すると、取付孔２２の中心位置は、既存の丁番に比べて左方に＋３ｍｍ移動したことになる。このようにして種々の態様の建付け状態に調整することができる。
【００２１】
ドアの上下方向の建付けは、従来と同じように丁番リング４を、厚さの相違するものに取り換えて調整すればよく、前後方向の調整は、羽根板とドアの間に適宜の厚さのスペーサーを挿入すればよく、このようにすれば本考案の丁番により三次元方向の建付け調整ができる。なお、上記偏心プレートの正転、反転の位置が分かりにくい場合には、偏心プレートの正面の適宜位置に偏芯プレートの上下、左右がわかるような適宜の識別マークを設けておくことができる。上記収納部及び偏心プレートは、ドア枠側の羽根板に設けることもでき、また略長方形に形成してあるが、これらの形状は反転して嵌着できる形状であればどのような形状でもよい。上記実施例では偏心プレートを左右に反転可能に構成してあるが、表裏を反転できるように構成することもできる。
【符号の説明】
【００２２】
１    羽根板
３    管部
７    裏板
１０  ドア枠
１１  ドア
１５  収納部
１９  側縁部
２０  挿通孔
２１、２８  偏心プレート
２２  取付孔
【図１】
0003233439.tif 000003
【図２】
0003233439.tif 000004
【図３】
0003233439.tif 000005
【図４】
0003233439.tif 000006
【図５】
0003233439.tif 000007
【図６】
0003233439.tif 000008
【図７】
0003233439.tif 000009
【図８】
0003233439.tif 000010
【図９】
0003233439.tif 000011